(57)【要約】【課題】    互いに接続された複数の画像記録装置間で、容易に、共通の画像データを記録することができ、記録された画像データの種類を容易に把握することができる画像記録システムを提供することを目的とする。【解決手段】    電子カメラ２とＰＣ４が接続されると、電子カメラ２からＰＣ４に対し、画像データの管理データが送信される。ＰＣ４は、電子カメラ２から送信された管理データに基づいて、ＰＣ４側で生成された画像データの管理データを更新し、電子カメラ２側の編集処理およびＰＣ４側の編集処理の双方を反映させた管理データを生成する。次いで、ＰＣ４は、生成した管理データに基づいて、電子カメラ２との間で画像データを送受信し、ＰＣ４側の画像データを更新するとともに、電子カメラ２側の画像データを更新する。最後に、ＰＣ４が、生成した管理データを電子カメラ２に送信し、電子カメラ２は、電子カメラ２側の管理データを、ＰＣ４から送信された管理データと同一の内容の管理データに書き換える。【選択図】      図４
2007013243.tif 000002
【特許請求の範囲】
【請求項１】
第１の画像記録装置および第２の画像記録装置が接続され、前記第１の画像記録装置および前記第２の画像記録装置のそれぞれに、画像データを記録するように構成された画像記録システムであって、
前記第１の画像記録装置が、前記第２の画像記録装置から送信される画像データを記録する第１の記録手段と、前記第１の記録手段に記録された画像データを編集して、別の画像データを生成する第１の編集手段と、前記第２の画像記録装置から送信される画像データと前記第１の編集手段によって生成される画像データとの関連付けを示す第１の管理データを生成する第１の管理データ生成手段と、前記第１の管理データを前記第２の画像記録装置に送信する第１の送信手段とを備え、
前記第２の画像記録装置が、画像データを記録する第２の記録手段と、前記第２の記録手段に記録された画像データを前記第１の画像記録装置に送信する第２の送信手段とを備え、
前記第２の画像記録装置が、前記第１の画像記録装置から送信される前記第１の管理データを、前記第２の記録手段に記録するように構成されていることを特徴とする画像記録システム。
【請求項２】
前記第１の送信手段が、さらに、前記第１の編集手段によって生成された画像データを送信するように構成されたことを特徴とする請求項１に記載の画像記録システム。
【請求項３】
前記第１の管理データが、さらに、前記第１の編集手段によって生成された画像データが編集された画像データであることを示す情報を含んでいることを特徴とする請求項１または２に記載の画像記録システム。
【請求項４】
前記第１の管理データが、さらに、前記第１の編集手段によって生成された画像データの優先度を示す優先度情報を含んでいることを特徴とする請求項１ないし３のいずれか１項に記載の画像記録システム。
【請求項５】
前記第１の画像記録装置が、さらに、前記第１の記録手段に記録された画像データのサムネイル表示が可能な第１の表示手段を備え、前記第１の管理データに基づいて、優先度の高い画像データから優先的に、前記第１の表示手段にサムネイル表示するように構成されていることを特徴とする請求項４に記載の画像記録システム。
【請求項６】
前記第２の画像記録装置が、さらに、前記第２の記録手段に記録された画像データのサムネイル表示が可能な第２の表示手段を備え、前記第１の画像記録装置から送信された前記第１の管理データに基づいて、優先度の高い画像データから優先的に、前記第２の表示手段にサムネイル表示するように構成されていることを特徴とする請求項４または５に記載の画像記録システム。
【請求項７】
前記第２の画像記録装置が、さらに、
前記第２の記録手段に記録された画像データを編集して、別の画像データを生成する第２の編集手段と、前記第２の編集手段によって生成された画像データと編集処理のもとになった画像データとの関連付けを示す第２の管理データを生成する第２の管理データ生成手段とを備え、
前記第２の送信手段が、前記第２の管理データを、前記第１の画像記録装置に送信するように構成されていることを特徴とする請求項１ないし６のいずれか１項に記載の画像記録システム。
【請求項８】
前記第１の画像記録装置が、
前記第２の画像記録装置から送信された前記第２の管理データに基づいて、前記第１の管理データを更新し、第３の管理データを生成するように構成されていることを特徴とする請求項７に記載の画像記録システム。
【請求項９】
前記第２の画像記録装置が、さらに、被写体を撮像して、画像データを生成する撮像手段を備えた電子カメラによって構成されたことを特徴とする請求項１ないし８のいずれか１項に記載の画像記録システム。
【請求項１０】
外部装置に接続され、画像データを前記外部装置に送信可能に構成された画像記録装置であって、
画像データを記録する記録手段と、
前記記録手段に記録された画像データを編集する編集手段と、
前記編集手段によって編集された画像データと編集処理のもとになった画像データとの関連付けを示す管理データを生成する管理データ生成手段と、
前記管理データを前記外部装置に送信する送信手段とを備えたことを特徴とする画像記録装置。
【請求項１１】
前記送信手段が、さらに、前記編集手段によって編集された画像データを送信するように構成されたことを特徴とする請求項１０に記載の画像記録装置。
【請求項１２】
前記管理データが、さらに、前記画像データが編集処理によって生成された画像データであることを示す情報を含んでいることを特徴とする請求項１０または１１に記載の画像記録装置。
【請求項１３】
前記管理データが、さらに、前記画像データの優先度を示す優先度情報を含んでいることを特徴とする請求項１０ないし１２のいずれか１項に記載の画像記録装置。
【請求項１４】
さらに、前記記録手段に記録された画像データのサムネイル表示が可能な表示手段を備え、前記管理データに基づいて、優先度の高い画像データから優先的に、前記表示手段にサムネイル表示するように構成されていることを特徴とする請求項１３に記載の画像記録装置。
【請求項１５】
さらに、被写体を撮像して、画像データを生成する撮像手段を備えていることを特徴とする請求項１０ないし１４のいずれか１項に記載の画像記録装置。
【発明の詳細な説明】
【技術分野】
【０００１】
本発明は、互いに接続された複数の画像記録装置に、それぞれ画像データを記録することができる画像記録システムおよび画像記録装置に関するものである。
【背景技術】
【０００２】
従来より、電子カメラとパーソナルコンピュータ（以下、「ＰＣ」という）とを、ＵＳＢケーブルなどの通信用ケーブルによって接続し、電子カメラによって撮影され、電子カメラ内の記録媒体に保存された画像データを、ＰＣに転送し、ＰＣ内の記録媒体に記録する画像記録システムが知られている（たとえば、特許文献１参照）。
【０００３】
かかる画像記録システムによれば、ＰＣ側で、電子カメラから転送された画像データに対して、トリミング処理、サイズ変更処理、輝度変更処理およびコントラスト変更処理などの編集処理を施し、被写体の撮影によって得られたオリジナルの画像データの内容を変更して、新たな画像データを生成することができる。
【特許文献１】特開平２００４−９６３２９号公報
【発明の開示】
【発明が解決しようとする課題】
【０００４】
特許文献１に開示された画像記録システムにおいては、電子カメラによって生成された画像データをＰＣ側に転送した後に、ＰＣ側で、画像データに編集処理を加えることがよく行われ、こうした場合に、編集処理後の画像データは、ＰＣ内の記録媒体に記録される。
【０００５】
一方、近年においては、記録媒体が大容量化され、表示モニタが大型化された電子カメラの開発が進められており、かかる電子カメラにおいては、数多くの画像データを記憶して閲覧することが可能である。そこで、ＰＣ側で編集処理が施され、ＰＣ内の記録媒体に記録されている画像データを、電子カメラ側に転送することにより、編集処理後の画像データを、電子カメラ側でも閲覧できるようにすることが考えられる。しかしながら、そのためには、ユーザーが、ＰＣ内の記録媒体に記録されている多数の画像データのなかから、編集処理が施された画像データを探し出し、転送すべき画像データを特定することが必要で、煩わしい作業をユーザーに強いることになる。
【０００６】
さらに、編集処理後の画像データをＰＣから電子カメラに転送し、電子カメラ内の記録媒体に記録すると、どの画像データが編集処理によって生成された画像データで、どの画像データが撮影によって得られたオリジナルの画像データなのかを、ユーザーが把握し難くなるおそれがある。
【０００７】
また、撮影して得られた画像データに対し、簡単な編集処理を施すことができる編集機能を備えた電子カメラもあり、かかる電子カメラをＰＣと接続して、画像記録システムを構成した場合には、電子カメラ側で編集された画像データを、ＰＣ側に転送してＰＣ内の記録媒体に記録することにより、ＰＣ側で閲覧することが可能になる。しかしながら、こうした場合にも、ＰＣ側では、どの画像データが編集処理によって生成された画像データなのかを、ユーザーが把握し難くなるおそれがある。
【０００８】
かかる問題は、電子カメラとＰＣとが接続された画像記録システムに限らず、画像データを記録することができる画像記録装置と、画像データの記録機能に加え、画像データの編集機能を備えた画像記録装置とが接続され、複数の画像記録装置間で、画像データを転送可能に構成された画像記録システムにおいては、同様に生じ得る。
【０００９】
このため、複数の画像記録装置間で、共通の画像データを記録可能で、かつ、どの画像データがオリジナルの画像データで、どの画像データが編集処理によって生成された画像データか、編集処理の施された画像データが、どの画像データをもとに生成された画像データであるのかなどの画像データの種類を、ユーザーが容易に把握することができる画像記録システムの開発が望まれていた。
【００１０】
したがって、本発明は、互いに接続された複数の画像記録装置間で、容易に、共通の画像データを記録することができ、記録された画像データの種類を容易に把握することができる画像記録システムおよび画像記録装置を提供することを目的とするものである。
【課題を解決するための手段】
【００１１】
本発明の前記目的は、第１の画像記録装置および第２の画像記録装置が接続され、前記第１の画像記録装置および前記第２の画像記録装置のそれぞれに、画像データを記録するように構成された画像記録システムであって、前記第１の画像記録装置が、前記第２の画像記録装置から送信される画像データを記録する第１の記録手段と、前記第１の記録手段に記録された画像データを編集して、別の画像データを生成する第１の編集手段と、前記第２の画像記録装置から送信される画像データと前記第１の編集手段によって生成される画像データとの関連付けを示す第１の管理データを生成する第１の管理データ生成手段と、前記第１の管理データを前記第２の画像記録装置に送信する第１の送信手段とを備え、前記第２の画像記録装置が、画像データを記録する第２の記録手段と、前記第２の記録手段に記録された画像データを前記第１の画像記録装置に送信する第２の送信手段とを備え、前記第２の画像記録装置が、前記第１の画像記録装置から送信される前記第１の管理データを、前記第２の記録手段に記録するように構成されていることを特徴とする画像記録システムによって達成される。
【００１２】
本発明の前記目的はまた、外部装置に接続され、画像データを前記外部装置に送信可能に構成された画像記録装置であって、画像データを記録する記録手段と、前記記録手段に記録された画像データを編集する編集手段と、前記編集手段によって編集された画像データと編集処理のもとになった画像データとの関連付けを示す管理データを生成する管理データ生成手段と、前記管理データを前記外部装置に送信する送信手段とを備えたことを特徴とする画像記録装置によって達成される。
【発明の効果】
【００１３】
本発明によれば、互いに接続された複数の画像記録装置間で、容易に、共通の画像データを記録することができ、記録された画像データの種類を容易に把握することが可能になる。
【発明を実施するための最良の形態】
【００１４】
以下、添付図面に基づいて、本発明の好ましい実施形態につき、詳細に説明を加える。
図１は、本発明の好ましい実施形態にかかる画像記録システムの構成を示すブロックダイアグラムである。
【００１５】
図１に示されるように、本実施形態にかかる画像記録システム１は、電子カメラ２と、電子カメラ２の接続端子２ａに接続されたＵＳＢケーブル３と、ＵＳＢケーブル３を介して、電子カメラ２に接続されたＰＣ４を備えている。画像記録システム１は、電子カメラ２に記録された画像データをＰＣ４に転送することができ、かつ、ＰＣ４に記録された画像データを電子カメラ２に転送することができるように構成されている。
【００１６】
図２は、図１に示された電子カメラ２の構成を示すブロックダイアグラムである。
図２に示されるように、電子カメラ２は、画像を撮像して画像データを生成する撮像手段１０と、画像データに所定のデジタル信号処理を施すデジタル信号処理手段２０と、画像データを再生して画像を表示する画像再生手段３０と、接続端子２ａを介してＵＳＢケーブル３に接続され、画像データのフォーマットをＰＣ４との通信が可能なフォーマットに変換するＵＳＢインタフェース４０と、撮影用のシャッタボタン５０ａ、モード切替用のモード切替ボタン５０ｂ、編集用の編集ボタン５０ｃおよび表示切替用の表示切替ボタン５０ｄなどの操作ボタンが配置された操作手段５０と、画像データを記録するハードディスク６０とを備えている。
【００１７】
本実施形態においては、電子カメラ２は、被写体を撮影して画像データを生成するとともに、生成した画像データをハードディスク６０に記録する撮影モードと、画像再生手段３０によって、ハードディスク６０に記録された画像データを再生するとともに、再生された画像データに対して編集処理を加える再生モードと、ハードディスク６０に記録された画像データをＰＣ４に転送する転送モードとの３つの動作モードが、切り換え可能に構成されている。
【００１８】
図２に示されるように、撮像手段１０は、ＣＣＤ撮像素子１１と、アナログ信号処理部１２と、Ａ／Ｄ変換器１３と、タイミングジェネレータ１４とを備えている。
ＣＣＤ撮像素子１１は、複数の受光画素がマトリクス状に配置され、光電変換によって生成した電荷を各受光画素に蓄積する受光部（図示せず）と、受光部の各受光画素に蓄積された電荷を転送する転送部（図示せず）と、転送部によって転送された電荷を電気信号に変換して出力する出力部（図示せず）とを備え、受光部に結像された被写体像に応じた画像信号を出力する。
【００１９】
アナログ信号処理部１２は、ＣＣＤ撮像素子１１から出力された画像信号に、相関二重サンプリング処理（ＣＤＳ）や自動利得制御処理（ＡＧＣ）などのアナログ信号処理を施し、信号レベルとリセットレベルを繰り返す画像信号から信号レベルのみを取り出した後に、所定の利得を与える。
【００２０】
Ａ／Ｄ変換器１３は、ＣＣＤ撮像素子１１からの画像信号の出力タイミングに同期して、アナログ信号処理部１２から出力された画像信号を１画素単位でデジタル化し、画像データを生成する。
【００２１】
タイミングジェネレータ１４は、ＣＣＤ撮像素子１１における電荷の転送タイミングおよび画像信号の出力タイミングを制御するとともに、ＣＣＤ撮像素子１１からの画像信号の出力タイミングと同期するように、アナログ信号処理部１２およびＡ／Ｄ変換器１３の動作タイミングを制御する。
【００２２】
図２に示されるように、デジタル信号処理手段２０は、デジタル信号処理部２１ａ、管理データ生成部２１ｂおよびコントローラ２１ｃを有するシステムＬＳＩ２１と、ＲＯＭ２２と、ＲＡＭ２３とを備えている。
【００２３】
デジタル信号処理部２１ａは、Ａ／Ｄ変換器１３から出力された画像データに対して、ホワイトバランス処理、ガンマ補正処理などのデジタル信号処理を施すとともに、画像サイズ変更などのデータ圧縮処理を施す。また、デジタル信号処理部２１ａは、ユーザーによって、操作手段５０に配置された編集ボタン５０ｃが操作されて、画像データの編集が指示された場合に、画像データに対して、指示された編集内容にしたがい、トリミング処理、輝度変更処理およびコントラスト変更処理などのデータ編集処理を施す。
【００２４】
管理データ生成部２１ｂは、撮像手段１０から新たな画像データが出力された場合や、デジタル信号処理部２１ａで画像データの編集処理が実行されて、新たな画像データが生成された場合に、生成された画像データが撮影によって新規に生成された画像データであるか、編集処理によって生成された画像データであるかなどの画像データの種類を示す管理データを生成する。
【００２５】
管理データ生成部２１ｂによって生成される管理データは、画像ファイル名情報、作成日時情報、編集情報、原画像ファイル名情報、グループ名情報および移動情報によって構成されている。
【００２６】
画像ファイル名情報は、画像データのファイル名を示すデータであり、作成日時情報は、画像ファイル名情報に示される画像データが生成された日時を示すデータである。
また、編集情報は、新たに画像データが生成されたときに書き換えられるデータであり、撮影によって、新たに画像データが生成された場合には、「新規作成」を示すデータに設定され、画像データが編集された場合には、「編集作成」を示すデータに設定される。
【００２７】
さらに、原画像ファイル名情報は、画像データを編集することによって、画像データが生成されたときに書き換えられるデータであり、編集処理のもとになった画像データのファイル名を示すデータである。
【００２８】
また、グループ名情報は、複数の画像データを、「１」から始まる複数のグループにグループ分けして、分類するためのデータであり、移動情報は、画像ファイル名情報に示される画像データが属するグループが変更されたとき、あるいは画像データが削除されたときに書き換えられるデータである。画像データが属するグループが変更された場合には、移動情報が「移動」を示すデータに書き換えられるとともに、グループ名情報が画像データの移動先のグループ名を示すデータに書き換えられ、一方、画像データが削除された場合には、移動情報が「削除」を示すデータに書き換えられるとともに、グループ名情報が「０」に書き換えられる。
【００２９】
これらの管理データは、管理データ生成部２１ｂによって生成された後に、画像データとは独立して、電子カメラ２のハードディスク６０の所定の記憶領域に記録される。
コントローラ２１ｃは、電子カメラ２の電源スイッチがオンされたときに、ＲＯＭ２２に記録された制御プログラムを読み出して実行し、電子カメラ２を起動させるとともに、制御プログラムにしたがって、電子カメラ２全体の動作を制御する。
【００３０】
本実施形態において、コントローラ２１ｃは、電子カメラ２の動作モードが転送モードに切り換えられて、電子カメラ２がＰＣ４に接続された場合に、ハードディスク６０から管理データを読み出し、ＵＳＢインタフェース４０およびＵＳＢケーブル３を介して、ＰＣ４に転送するように機能する。
【００３１】
ＲＡＭ２３は、撮影部１０から出力される画像データを一時的に記憶するとともに、各種画像処理や、画像圧縮および伸張処理の際のバッファメモリとして機能する。
図２に示されるように、画像再生手段３０は、たとえば、液晶ディスプレイパネルなどによって構成された表示モニタ３１と、画像データに基づいて表示モニタ３１を駆動するモニタコントローラ３２とを備えている。
【００３２】
本実施形態において、画像再生手段３０は、表示切替ボタン５０ｄによって、表示モニタ３１の表示内容を、ハードディスク６０に記録された画像データのなかから、ユーザーによって選択された画像データに対応する画像を表示する通常表示と、画像のサイズを小さくして、複数の画像を並べて表示するサムネイル表示と、画像データの管理データの一覧を表示する管理データ表示との間で、切り換えることができるように構成されている。
【００３３】
図３は、図１に示されたＰＣ４の構成を示すブロックダイアグラムである。
図３に示されるように、ＰＣ４は、コンピュータ本体７０と、液晶ディスプレイパネルなどの表示モニタを有する表示手段７７と、キーボードやマウスなどの入力手段７８とを備えている。
【００３４】
コンピュータ本体７０は、制御プログラムにしたがってＰＣ４全体の動作を制御するＣＰＵ７１と、制御プログラムが記録されるＲＯＭ７２と、画像データを一時的に記憶するＲＡＭ７３と、画像データが記録されるハードディスク７４と、接続端子４ａを介してＵＳＢケーブル３に接続され、画像データのフォーマットを電子カメラ２との通信が可能なフォーマットに変換するＵＳＢインタフェース７５と、表示手段７７、入力手段７８およびＣＰＵ７１を接続する入出力インタフェース７６とを備えている。
【００３５】
また、ＰＣ４には、画像データの編集機能と管理データの生成機能とを有する画像データ編集用プログラムがインストールされている。
画像データ編集用プログラムは、電子カメラ２のデジタル信号処理部２１ａと同様に、入力手段７８を介して、ユーザーから画像データの編集が指示された場合に、画像データに対して、指示された編集内容にしたがうデータ編集処理を施すように構成されている。また、画像データ編集用プログラムは、編集機能によって、画像データの編集処理が実行された場合に、管理データを生成して、ハードディスク７４に記録し、電子カメラ２から管理データが送信された場合には、送信された管理データに基づいて、ハードディスク７４に記録された管理データを書き換えるように構成されている。さらに、画像データ編集用プログラムは、電子カメラ２から送信された管理データに基づいて、ハードディスク７４に記録された管理データを書き換えた場合に、書き換えた管理データを電子カメラ２に送信するとともに、書き換えた管理データに基づいて、電子カメラ２のハードディスク６０に追加すべき画像データ、および、ＰＣ４のハードディスク７４に追加すべき画像データを検出するように構成されている。
【００３６】
画像データ編集用プログラムが実行されて、ＰＣ４によって生成される管理データは、前述の電子カメラ２で生成される管理データと同様の構成を有しており、画像ファイル名情報、作成日時情報、編集情報、原画像ファイル名情報、グループ名情報および移動情報によって構成されている。各情報の内容は、画像データが削除された場合に、グループ名情報が「−１」に書き換えられる点を除き、電子カメラ２側の管理データを構成する各情報の内容と同様である。
【００３７】
これらの管理データは、画像データ編集用プログラムが実行されて、ＰＣ４によって生成された後に、画像データとは独立して、ハードディスク７４の所定の記憶領域に記録される。
【００３８】
以上のような構成を有する本実施形態にかかる画像記録システム１は、以下のようにして、電子カメラ２およびＰＣ４のそれぞれに、画像データを記録する。
図４は、画像記録システム１によって実行される画像データの記録処理のメインルーチンを示すフローチャートである。ここでは、電子カメラ２が、４つの被写体を撮影して、新たに４つの画像データを生成する一方で、ＰＣ４は、画像データを有していない場合につき、説明を加える。
【００３９】
被写体の撮影によって、新たな画像データを生成する場合には、まず、モード切替ボタン５０ｂによって、電子カメラ２の動作モードが撮影モードに切り換えられるとともに、ユーザーによって、シャッタボタン５０ａが押され、ＣＣＤ撮像素子１１から画像信号が出力される。
【００４０】
次いで、アナログ信号処理１２およびＡ／Ｄ変換器１３を経て、画像データが生成されるとともに、管理データ生成部２１ｂによって、管理データが生成される。
図５は、管理データ生成部２１ｂによって、電子カメラ２側で生成される管理データを示す模式図である。
【００４１】
本実施形態においては、４つの画像データは、撮影によって生成されているので、図５に示されるように、管理データ２５は、４つの画像データＡないしＤに対応して、４つの管理データ２５ａないし２５ｄが生成されるとともに、その編集情報が「新規作成」を示すデータに設定される。また、管理データ２５ａないし２５ｄの原画像ファイル名情報は、４つの画像データＡないしＤが、いずれも、編集処理が施された画像データではないため、画像データのファイル名を示すデータではなく、原画像ファイル名情報がないことを示す初期データのまま保持される。さらに、移動情報においても、４つの画像データＡないしＤがいずれも、属するグループが変更された画像データでなく、また、削除された画像データでもないため、「移動」または「削除」を示すデータではなく、移動情報がないことを示す初期データのまま保持される。なお、図５においては、原画像ファイル名情報および移動情報が初期データに設定されている場合には、空欄になっている。また、グループ名情報は、ユーザーによって、画像データが属するグループが指定されない限り、自動的に「１」に設定される。
【００４２】
こうした状態において、図４に示されるにように、モード切替ボタン５０ｂによって、電子カメラ２の動作モードが転送モードに切り換えられ、ＵＳＢケーブル３を介して、電子カメラ２とＰＣ４が接続されると、ＰＣ４は、電子カメラ２が接続されたことを認識するとともに、画像データ編集用プログラムを実行し、電子カメラ２に対して、電子カメラ２のハードディスク６０に記録された管理データ２５の送信を要求するリクエスト信号を出力する（ステップＳ１ないしＳ３）。
【００４３】
次に、電子カメラ２は、ＰＣ４から出力されたリクエスト信号に応答して、電子カメラ２のハードディスク６０に記録されている管理データ２５を、ＵＳＢケーブル３を介して、ＰＣ４に送信する（ステップＳ４）。
【００４４】
電子カメラ２から送信された管理データ２５を受信すると、ＰＣ４は、受信した管理データ２５をＲＡＭ７３に記録するとともに、ＲＡＭ７３に記録した電子カメラ２側の管理データ２５に基づいて、ＰＣ４側の管理データを新たな管理データに更新する（ステップＳ５およびＳ６）。
【００４５】
図６は、ＰＣ４によって実行されるＰＣ４側の管理データの更新処理のサブルーチンを示すフローチャートであり、図７は、更新処理によって生成されるＰＣ４側の管理データを示す模式図である。
【００４６】
図６に示されるように、ＰＣ４側の管理データを更新するにあたっては、まず、ＰＣ４は、電子カメラ２側の画像データＡの管理データ２５ａの編集情報のデータが、「新規作成」を示すデータに設定されているか否か、または、「編集作成」を示すデータに設定されているか否かを判定する（ステップＳ５１）。
【００４７】
図５に示されるように、電子カメラ２側で生成された画像データＡの管理データ２５ａの編集情報は、「新規作成」を示すデータに設定されているので、図７に示されるように、電子カメラ２側の画像データＡの管理データ２５ａが、ＰＣ４側の画像データＡの管理データ８０ａとして追加される（ステップＳ５２）。
【００４８】
次いで、ＰＣ４は、電子カメラ２側の画像データＡの管理データ２５ａの移動情報のデータが、「移動」を示すデータに設定されているか否かを判定するとともに、「削除」を示すデータに設定されているか否かを判定する（ステップＳ５３およびＳ５６）。
【００４９】
図５に示されるように、電子カメラ２側で生成された画像データＡの管理データ２５ａの移動情報は、「移動」を示すデータに設定されておらず、「削除」を示すデータにも設定されていないので、ＰＣ４側の画像データＡの管理データ８０ａの移動情報のデータは書き換えられず、初期データのまま保持される。
【００５０】
編集情報の判定処理および移動情報の判定処理は、画像データＡの管理データ２５ａに対して実行された後に、残りの画像データＢないしＤの管理データ２５ｂないし２５ｄに対しても、順次、実行される（ステップＳ５９）。
【００５１】
ここで、電子カメラ２側の画像データＢないしＤの管理データ２５ｂないし２５ｄはいずれも、撮影によって新たに生成された画像データに対応する管理データであるため、画像データＡの管理データ２５ａと同様に、ＰＣ４側の画像データＢないしＤの管理データ８０ｂないし８０ｄとして追加される。
【００５２】
こうして、ＰＣ４側の管理データが、図７に示される新たな管理データ８０に更新され、ＰＣ４は、管理データ８０をＲＡＭ７３に記録する。
ＰＣ４側の管理データ８０が生成されると、図４に示されるように、ＰＣ４は、ＰＣ４側のハードディスク７４に記録された画像データを更新する（ステップＳ７）。
【００５３】
図８は、ＰＣ４によって実行されるＰＣ４側の画像データの更新処理のサブルーチンを示すフローチャートである。
ＰＣ４側の画像データを更新するにあたっては、まず、ＰＣ４は、更新処理後のＰＣ４側の管理データ８０を、更新処理前のＰＣ４側の管理データと比較して、更新処理後の管理データ８０に含まれる画像データＡの管理データ８０ａが、更新処理後の管理データ８０にのみ存在し、更新処理前の管理データには存在しない管理データであるか否かを判定する（ステップＳ７１）。
【００５４】
ここで、ＰＣ４が電子カメラ２に接続される前には、ＰＣ４には、画像データが存在せず、画像データに対応する管理データも存在していなかったため、ＰＣ４は、更新処理後のＰＣ４側の管理データ８０に含まれる画像データＡの管理データ８０ａが、更新処理前のＰＣ４側の管理データには存在しない管理データであると判定する。
【００５５】
更新処理後のＰＣ４側の管理データ８０に含まれる画像データＡの管理データ８０ａが、更新処理前のＰＣ４側の管理データには存在しない管理データであると判定した場合には、ＰＣ４は、画像データＡが、電子カメラ２側にのみ存在し、ＰＣ４側には存在しない画像データであると認識し、ＰＣ４のハードディスク７４に追加する必要がある画像データであると認識する（ステップＳ７２）。
【００５６】
更新処理後のＰＣ４側の管理データ７８にのみ存在する画像データの管理データであるか否かの判定および判定結果に基づく処理は、画像データＡの管理データ８０ａに対して実行された後に、残りの画像データＢないしＤの管理データ８０ｂないし８０ｄに対しても、順次、実行される（ステップＳ７４）。
【００５７】
ここで、更新処理後のＰＣ４側の管理データ８０に含まれる画像データＢないしＤの管理データ８０ｂないし８０ｄはいずれも、更新処理前のＰＣ４側の管理データには存在しない画像データの管理データであるため、ＰＣ４は、画像データＢないしＤをＰＣ４のハードディスク７４に追加する必要がある画像データであると認識する（ステップＳ７２）。
【００５８】
次いで、ＰＣ４は、ＰＣ４のハードディスク７４に追加する必要がある画像データＡないしＤを、電子カメラ２のハードディスク６０から読み出すべく、電子カメラ２に、画像データＡないしＤの送信を要求するリクエスト信号を出力する（ステップＳ７５およびＳ７６）。
【００５９】
次いで、電子カメラ２は、リクエスト信号に応答して、画像データＡないしＤを送信し、ＰＣ４は、画像データＡないしＤを受信して画像データＡないしＤをハードディスク７４に記録する（ステップＳ７７およびＳ７８）。
【００６０】
ＰＣ４側の画像データの更新処理が完了すると、図４に示されるように、ＰＣ４は、電子カメラ２側の画像データの更新処理を実行する（ステップＳ８）。
図９は、ＰＣ４によって実行される電子カメラ２側の画像データの更新処理のサブルーチンを示すフローチャートである。
【００６１】
電子カメラ２側の画像データを更新するにあたっては、まず、ＰＣ４は、更新処理後のＰＣ４側の管理データ８０を、電子カメラ２側の管理データ２５と比較して、更新処理後の管理データ８０に含まれる画像データＡの管理データ８０ａが、更新処理後のＰＣ４側の管理データ８０にのみ存在し、電子カメラ２側の管理データ２５には存在しない管理データであるか否かを判定する（ステップＳ８１）。
【００６２】
ここで、更新処理前の電子カメラ２側の管理データ２５には、画像データＡの管理データ２５ａが存在するため、ＰＣ４は、画像データＡの管理データが、更新処理後のＰＣ４側の管理データ８０にのみ存在する画像データの管理データではないと判定する。
【００６３】
画像データＡの管理データが、更新処理後のＰＣ４側の管理データ８０にのみ存在する画像データの管理データではないと判定した場合には、ＰＣ４は、更新処理後のＰＣ４側の管理データ８０を参照して、画像データＡの管理データ８０ａのグループ名情報が「−１」であり、かつ、移動情報が「削除」を示すデータに設定されているか否かを判定する（ステップＳ８３）。
【００６４】
図７に示されるように、画像データＡの管理データ８０ａのグループ名情報は「１」であるため、ＰＣ４は、画像データＡがＰＣ４側で削除された画像データではないと判定する。
【００６５】
こうして、画像データＡの管理データが、更新処理後のＰＣ４側の管理データ８０および電子カメラ２側の管理データ２５の双方に存在し、また、画像データＡが、ＰＣ４側で削除された画像データではないと判定した場合には、ＰＣ４は、画像データＡが電子カメラ２のハードディスク６０に既に記録されている画像データであり、また、電子カメラ２のハードディスク６０から削除する必要もない画像データであると認識する（ステップＳ８５）。
【００６６】
さらに、ＰＣ４は、残りの画像データＢないしＤの管理データ８０ｂないし８０ｄに対しても、順次、画像データＡの管理データ８０ａに対して実行したのと同様の処理を実行する（ステップＳ８６）。
【００６７】
ここで、更新処理後の管理データ８０に含まれる画像データＢないしＤの管理データ８０ｂないし８０ｄはいずれも、電子カメラ２側の管理データ２５に含まれており、グループ名情報がいずれも「１」であるため、ＰＣ４は、画像データＢないしＤが電子カメラ２のハードディスク６０に既に記録されている画像データであり、また、電子カメラ２のハードディスク６０から削除する必要もない画像データであると認識する（ステップＳ８５）。
【００６８】
上述の判定処理を実行した結果、電子カメラ２のハードディスク６０に追加すべき画像データ、あるいは、電子カメラ２のハードディスク６０から削除すべき画像データが存在しなかった場合には、ＰＣ４は、電子カメラ２のハードディスク６０に記録されている画像データを書き換えず、電子カメラ２側の画像データの更新処理を終了する（ステップＳ８７）。
【００６９】
電子カメラ２側の画像データの更新処理が完了すると、図４に示されるように、ＰＣ４は、ＲＡＭ７３に記録されている更新処理後の管理データ８０の編集情報および移動情報のデータを初期データにリセットして、「新規作成」を示すデータを消去する（ステップＳ９）。こうして、図１０に示されるように、新たなＰＣ４側の管理データ８１が生成され、ＰＣ４は、管理データ８１をハードディスク７４に記録する。
【００７０】
次いで、ＰＣ４は、ＵＳＢケーブル３を介して、管理データ８１を電子カメラ２に送信する（ステップＳ１０）。管理データ８１が電子カメラ２に送信されると、電子カメラ２は、電子カメラ２のハードディスク６０に記録された電子カメラ２側の管理データ２５を、ＰＣ４から送信された管理データ８１と同じ内容に書き換える。その結果、図１１に示されるように、電子カメラ２側の管理データ２５は、図１０に示されるＰＣ４側の管理データ８１と同一の内容の管理データ２６に更新される（ステップＳ１１）。
【００７１】
こうして、画像記録システム１によって実行される画像データの記録処理が終了する。
本実施形態によれば、電子カメラ２の撮像手段１０によって、画像データＡないしＤが新規に生成された場合に、管理データ生成部２１ｂによって、画像データＡないしＤの管理データ２５が生成されるとともに、電子カメラ２からＰＣ４に、生成された管理データ２５が送信され、その後に、ＰＣ４側で、管理データ２５に基づいてＰＣ４側の管理データ８０が生成されているので、ＰＣ４側の管理データ８０の内容に、電子カメラ２側の管理データ２５の内容を反映させることができる。
【００７２】
さらに、本実施形態によれば、ＰＣ４によって、管理データ８０に基づき、電子カメラ２側にのみ存在し、ＰＣ４側には存在しない画像データＡないしＤが認識され、ＰＣ４のハードディスク７４に追加すべき画像データＡないしＤが、電子カメラ２に要求されるので、画像データの転送処理の際に、電子カメラ２のハードディスク６０に記録されている多数の画像データのなかから、ＰＣ４側に転送する必要がある画像データをユーザーが探し出す必要がなくなり、容易に、電子カメラ２およびＰＣ４の双方が同一の内容の画像データを共有することが可能となる。
【００７３】
次に、上述のように、電子カメラ２によって生成された画像データに基づき、ＰＣ４側に記録された画像データが更新された後に、電子カメラ２側で、電子カメラ２側に保存されている画像データに対して編集処理が施され、一方、ＰＣ４側でも、ＰＣ４側に保存されている画像データに対して編集処理が施された場合につき、説明を加える。
【００７４】
電子カメラ２側で、画像データに対し、編集処理を施す場合には、モード切替ボタン５０ｂによって、電子カメラ２の動作モードが再生モードに切り換えられ、表示モニタ３１に画像が表示されるとともに、ユーザーによって、編集ボタン５０ｃを用いて画像データに対する編集内容が指示される。
【００７５】
ユーザーが編集ボタン５０ｃを操作すると、デジタル信号処理部２１ａによって、表示された画像に対応する画像データに対し、編集ボタン５０ｃの操作に応じたデータ処理が施されるとともに、管理データ生成部２１ｂによって、編集内容にしたがって、ハードディスク６０に記録された管理データ２６の内容が書き換えられ、新たな管理データ２７が生成される。
【００７６】
図１２は、管理データ生成部２１ｂによって、電子カメラ２側で生成される管理データ２７を示す模式図である。
図１２においては、画像データＣが属するグループが「１」から「２」に変更されるとともに、画像データＡが編集されて画像データＥが生成され、画像データＡが削除された場合が例示されている。
【００７７】
図１２に示されるように、電子カメラ２側で生成される管理データ２７は、画像データＡの管理データ２７ａのグループ名情報のデータおよび移動情報のデータがそれぞれ、「０」および「削除」を示すデータに書き換えられ、画像データＣの管理データ２７ｃのグループ名情報が「２」に書き換えられ、移動情報が「移動」を示すデータに書き換えられている。また、図１２に示されるように、電子カメラ２側で生成される管理データ２７には、編集情報のデータが「編集作成」に設定されるとともに、原画像ファイル名に画像データＡのファイル名が記された画像データＥの管理データ２７ｅが追加されている。
【００７８】
一方、ＰＣ４側で、画像データに対し、編集処理を施す場合には、まず、ユーザーによって、ＰＣ４にインストールされている画像データ編集用プログラムが起動され、入力手段７８を介して、ユーザーからＰＣ４に対し、画像データの編集内容が指示される。
【００７９】
次いで、画像データに対し、指示内容に応じたデータ処理が施されるとともに、編集内容にしたがって、ハードディスク７４に記録された管理データ８１が書き換えられ、新たな管理データが生成される。
【００８０】
図１３は、画像データ編集用プログラムが実行されて、ＰＣ４側で生成される管理データ８２を示す模式図である。
図１３においては、画像データＢが編集されて画像データＥＥが生成された後に、画像データＢが削除されるとともに、画像データＥＥが属するグループが「１」から「２」に変更された場合が例示されている。
【００８１】
図１３に示されるように、ＰＣ４側で生成される管理データ８２は、画像データＢの管理データ８２ｂのグループ名情報のデータおよび移動情報のデータがそれぞれ、「−１」および「削除」を示すデータに書き換えられている。また、図１３に示されるように、ＰＣ４側で生成される管理データ８２は、移動情報が「編集作成」を示すデータに設定されるとともに、原画像ファイル名に画像データＢのファイル名が記された画像データＥＥの管理データ８２ｅｅが追加されており、画像データＥＥの管理データ８２ｅｅのグループ名情報が「２」に書き換えられ、移動情報が「移動」を示すデータに書き換えられている。
【００８２】
こうした状態において、電子カメラ２の動作モードが転送モードに切り換えられると（図４のステップＳ１）、その後、前述したのと同様にして、図４のステップＳ６までの処理が実行される。
【００８３】
図１４は、更新処理によって生成されるＰＣ４側の管理データ８３を示す模式図である。
ＰＣ４側の管理データ８２を、新たな管理データ８３に更新するにあたっては、図６に示されるように、ＰＣ４は、まず、電子カメラ２側の画像データＡの管理データ２７ａの編集情報が、「新規作成」または「編集作成」を示すデータに設定されているか否かを判定する（ステップＳ５１）。
【００８４】
図１２に示されるように、電子カメラ２から送信された電子カメラ２側の画像データＡの管理データ２７ａの編集情報は、初期データのまま、保持されており、「新規作成」または「編集作成」を示すデータには設定されておらず、次いで、ＰＣ４は、管理データ２７ａの移動情報の値を判定する（図６のステップＳ５３ないしＳ５６）。
【００８５】
図１２に示されるように、電子カメラ２側の画像データＡの管理データ２７ａの移動情報は、「削除」を示すデータに書き換えられており、こうした場合には、ＰＣ４は、ＰＣ４側の画像データＡの管理データ８２ａの移動情報を「削除」を示すデータに書き換えるとともに、ＰＣ４側の画像データＡの管理データ８２ａのグループ名情報を「０」に書き換えて、画像データＡの管理データ８２ａを、新たな画像データＡの管理データ８３ａに更新する（図６のステップＳ５７およびＳ５８）。
【００８６】
次に、ＰＣ４は、電子カメラ２側の画像データＡの管理データ２７ａに対する処理と同様にして、電子カメラ２側の画像データＢないしＥの管理データ２７ｂないし２７ｅのそれぞれにつき、編集情報および移動情報の値を、順次、判定し、ＰＣ４側の画像データＢないしＥの管理８２ｂないし８２ｅを書き換える（図６のステップＳ５１ないしＳ５８）。
【００８７】
ここで、図１２に示される電子カメラ２側の画像データＣの管理データ２７ｃは、移動情報が「移動」を示すデータに書き換えられるとともに、グループ名情報が「２」に書き換えられているので、ＰＣ４側の画像データＣの管理データ８２ｃは、移動情報が「移動」を示すデータに書き換えられるとともに、グループ名情報が「２」に書き換えられて、新たな画像データＣの管理データ８３ｃに更新される（図６のステップＳ５４およびＳ５５）。
【００８８】
さらに、図１２に示される電子カメラ２側の画像データＥの管理データ２７ｅは、ＰＣ４側には存在しない画像データに対応する管理データであり、また、編集情報が「編集作成」を示すデータに書き換えられているため、電子カメラ２側の画像データＥの管理データ２７ｅが、ＰＣ４側の管理データ８３に、画像データＥの管理データ８３ｅとして追加される（図６のステップＳ５２）。
【００８９】
こうして、ＰＣ４側の管理データ８２が書き換えられ、ＰＣ４側の管理データ８２が新たな管理データ８３に更新されると、図４に示されるように、ＰＣ４は、ＰＣ４側のハードディスク７４に記録された画像データを更新する（ステップＳ７）。
【００９０】
ＰＣ４側の画像データを更新するにあたっては、前述したのと同様に、更新処理後の管理データ８３に含まれる画像データＡの管理データ８３ａが、更新処理後の管理データ８３にのみ存在し、更新処理前の管理データ８２には存在しない管理データであるか否かを判定する（図８のステップＳ７１）。
【００９１】
図１３および図１４から分かるように、画像データＡの管理データは、更新処理後の管理データ８３および更新処理前の管理データ８２の双方に存在し、こうした場合には、ＰＣ４は、画像データＡをＰＣ４のハードディスク７４に追加する必要がない画像データであると認識する（図８のステップＳ７３）。
【００９２】
ここで、図１４に示されるように、画像データＡは、その管理データ８２ａの移動情報が「削除」を示すデータに設定され、電子カメラ２側で削除された画像データであるが、本実施形態においては、電子カメラ２側で削除された画像データは、ＰＣ４側では削除されず、そのまま、ＰＣ４のハードディスク７４内に保持される。これは、ＰＣ４のハードディスク７４の記憶容量が、電子カメラ２のハードディスク６０の記憶容量よりも大きく、その都度、画像データを削除する必要性が低いことによるものである。なお、電子カメラ２側で削除された画像データが累積的に多くなった場合には、その際に、それらの画像データがＰＣ４側でまとめて削除される。
【００９３】
画像データＡの更新処理を完了すると、ＰＣ４は、画像データＡの更新処理と同様にして、更新処理後のＰＣ４側の管理データ８３を、更新処理前のＰＣ４側の管理データ８２と比較し、画像データＢないしＥＥの更新処理を、順次、実行する（図８のステップＳ７４）。
【００９４】
図１３および図１４から分かるように、画像データＥの管理データは、更新処理後のＰＣ４側の管理データ８３のみに存在し、更新処理前のＰＣ４側の管理データ８２には存在しないため、ＰＣ４は、画像データＥが電子カメラ２側にのみ存在し、ＰＣ４側には存在しない画像データであると認識し、ＰＣ４のハードディスク７４に追加すべき画像データであると認識する（図８のステップＳ７２）。
【００９５】
一方、他の画像データＢないしＤおよびＥＥは、図１３および図１４から分かるように、更新処理後のＰＣ４側の管理データ８３および更新処理前のＰＣ４側の管理データ８２の双方に存在するため、ＰＣ４は、画像データＢないしＤおよびＥＥを、電子カメラ２側にのみ存在し、ＰＣ４側には存在しない画像データでないと認識し、ＰＣ４のハードディスク７４に追加する必要がない画像データであると認識する（図８のステップＳ７３）。
【００９６】
こうして、管理データ８３ａないし８３ｅｅに対応する画像データＡないしＥＥにつき、ＰＣ４のハードディスク７４に追加すべきか否かの判別が終了すると、ＰＣ４は、ＰＣ４のハードディスク７４に追加すべきと認識した画像データＥにつき、電子カメラ２のハードディスク６０から読み出すべく、電子カメラ２に、画像データＥの送信を要求するリクエスト信号を出力する（図８のステップＳ７５およびＳ７６）。
【００９７】
電子カメラ２は、リクエスト信号に応答して、画像データＥを送信し、ＰＣ４は、画像データＥを受信して、画像データＥをハードディスク７４に記録する（図８のステップＳ７７およびＳ７８）。こうして、ＰＣ４側の画像データの更新処理が完了する。
【００９８】
ＰＣ４側の画像データの更新処理が完了すると、図４に示されるように、ＰＣ４は、電子カメラ２側の画像データの更新処理を実行する（ステップＳ８）。
電子カメラ２側の画像データを更新するにあたっては、図９に示されるように、まず、ＰＣ４は、更新処理後のＰＣ４側の管理データ８３を、電子カメラ２側の管理データ２７と比較して、更新処理後の管理データ８３に含まれる画像データＡの管理データ８３ａが、更新処理後のＰＣ４側の管理データ８３にのみ存在し、電子カメラ２側の管理データ２７には存在しない管理データであるか否かを判定する（ステップＳ８１）。
【００９９】
図１２に示されるように、更新処理前の電子カメラ２側の管理データ２７には、画像データＡの管理データ２７ａが存在するため、ＰＣ４は、画像データＡの管理データが更新処理後のＰＣ４側の管理データ８３にのみ存在する画像データの管理データではないと判定する。
【０１００】
このように判定した場合には、ＰＣ４は、更新処理後のＰＣ４側の管理データ８３を参照して、画像データＡの管理データ８３ａのグループ名情報が「−１」であり、かつ、移動情報が「削除」を示すデータに設定されているか否かを判定する（図９のステップＳ８３）。
【０１０１】
図１４に示されるように、画像データＡの管理データ８３ａにおいては、移動情報が「削除」を示すデータに書き換えられているが、グループ名情報が「０」に書き換えられているため、ＰＣ４は、画像データＡが、電子カメラ２側で削除された画像データであると認識する。この場合、あらためて、ＰＣ４から電子カメラ２に対し、削除する旨の指示信号を出力して、電子カメラ２に削除させる必要がないため、ＰＣ４は、削除すべき画像データでないと認識し、画像データＡについての判別処理を終了する（図９のステップＳ８５）。
【０１０２】
画像データＡについての判別処理を終了すると、ＰＣ４は、同様の判別処理を画像データＢについて実行する。
図１２に示されるように、電子カメラ２側の管理データ２７には、画像データＢの管理データ２７ｂが存在するため（図９のステップＳ８１）、ＰＣ４は、画像データＢの管理データ８３ｂのグループ名情報が「−１」であり、かつ、移動情報が「削除」を示すデータに設定されているか否かを判定する（図９のステップＳ８３）。
【０１０３】
図１４に示されるように、画像データＢの管理データ８３ｂは、グループ名情報が「−１」に書き換えられるとともに、移動情報が「削除」を示すデータに書き換えられている。このような場合、すなわち、画像データＢが、ＰＣ４側で削除され、電子カメラ２側で削除されていない画像データである場合には、ＰＣ４は、画像データＢを電子カメラ２のハードディスク６０から削除すべき画像データであると認識する（図９のステップＳ８４）。
【０１０４】
画像データＢについての判別処理が終了すると、ＰＣ４は、同様の判別処理を、残りの画像データＣないしＥＥについて実行する（図９のステップＳ８１ないしＳ８６）。
図１２および図１４に示されるように、画像データＥＥの管理データは、更新処理後のＰＣ４側の管理データ８３のみに存在し、電子カメラ２側の管理データ２７には存在しないため、ＰＣ４は、画像データＥＥを電子カメラ２のハードディスク６０に追加すべき画像データであると認識する（図９のステップＳ８２）。
【０１０５】
これに対して、図１２および図１４から分かるように、他の画像データＣないしＥの管理データはいずれも、更新処理後のＰＣ４側の管理データ８３および電子カメラ２側の管理データ２７の双方に存在し、また、グループ名情報が「−１」に書き換えられていないため、ＰＣ４は、画像データＣないしＥを、電子カメラ２のハードディスク６０に追加すべきでなく、電子カメラ２のハードディスク６０から削除すべきでもない画像データであると認識する（図９のステップＳ８５）。
【０１０６】
こうして、画像データＡないしＥＥのすべてにつき、電子カメラ２側のハードディスク６０に追加すべきか否か、および電子カメラ２側のハードディスク６０から削除すべき否かの判別処理が終了すると、ＰＣ４は、電子カメラ２側のハードディスク６０に追加すべきであると認識した画像データＥＥを、電子カメラ２に送信するとともに、画像データＥＥをハードディスク６０に書き込むべく、書込指示信号を電子カメラ２に送信する（図９のステップＳ８７およびＳ８８）。
【０１０７】
ＰＣ４から書込指示信号を受けると、電子カメラ２は、受信した書込指示信号に応答して、ＰＣ４から送信された画像データＥＥを電子カメラ２のハードディスク６０に記録し、画像データＥＥを電子カメラ２のハードディスク６０に追加する。
【０１０８】
次いで、ＰＣ４は、電子カメラ２のハードディスク６０から削除すべきであると認識した画像データＢを、電子カメラ２のハードディスク６０から削除すべく、削除指示信号を電子カメラ２に送信する（図９のステップＳ８９）。ＰＣ４から削除指示信号を受けると、それに応答して、電子カメラ２は、ハードディスク６０に記録されている画像データＢを削除する。
【０１０９】
電子カメラ２側の更新処理が終了すると、ＰＣ４は、図４に示されるように、更新処理後の管理データ８３の編集情報および移動情報を初期データにリセットして、「新規作成」、「編集作成」、「移動」および「削除」を示すデータを消去する（ステップＳ９）。こうして、図１５に示される新たなＰＣ４側の管理データ８４が生成され、ＰＣ４は、ハードディスク７４に記録されている管理データ８２を管理データ８４に書き換える。
【０１１０】
次いで、ＰＣ４は、ＵＳＢケーブル３を介して、管理データ８４を電子カメラ２に送信する（図４のステップＳ１０）。
管理データ８４が電子カメラ２に送信されると、電子カメラ２は、電子カメラ２のハードディスク６０に記録された電子カメラ２側の管理データ２７を、ＰＣ４から送信された管理データ８４と同じ内容に書き換える。その結果、電子カメラ２側の管理データ２７は、図１５に示されるＰＣ４側の管理データ８４と同一の内容の管理データに更新される（図４のステップＳ１１およびＳ１２）。
【０１１１】
こうして、画像記録システム１によって実行される画像データの記録処理が終了する。
本実施形態においては、電子カメラ２側で、画像データに編集処理が施された場合に、管理データ生成部２１ｂによって、画像データの管理データ２６の内容が書き換えられて、管理データ２７が生成され、一方、ＰＣ４側で、画像データに編集処理が施された場合にも、画像データ編集用プログラムが実行されて、画像データの管理データ８１の内容が書き換えられ、管理データ８２が生成される。その後に、電子カメラ２からＰＣ４に対し、管理データ２７が送信され、ＰＣ４側で、管理データ２７に基づいて、管理データ８２が管理データ８３に更新されるので、電子カメラ２およびＰＣ４の双方で、独立して画像データに編集処理を加えた場合にも、電子カメラ２側の編集処理およびＰＣ４側の編集処理の双方を反映させた管理データ８３を得ることができる。
【０１１２】
また、こうした生成された管理データ８３は、ＰＣ４のハードディスク７４に記録されるとともに、ＰＣ４から電子カメラ２に送信され、電子カメラ２のハードディスク６０に記録されるので、電子カメラ２およびＰＣ４の双方が、同一の内容の管理データを共有することが可能となる。
【０１１３】
さらに、本実施形態によれば、ＰＣ４によって、更新処理によって生成された管理データ８３に基づき、電子カメラ２側でのみ存在し、ＰＣ４側には存在しない画像データが認識され、ＰＣ４のハードディスク７４に追加すべき画像データが電子カメラ２に要求されるとともに、ＰＣ４側でのみ存在し、電子カメラ２側には存在しない画像データが認識され、ＰＣ４から電子カメラ２に対し、電子カメラ２のハードディスク６０に追加すべき画像データが送信されるので、電子カメラ２およびＰＣ４の双方が、容易に、同一の内容の画像データを共有することが可能となる。
【０１１４】
また、本実施形態によれば、編集処理の施された画像データが電子カメラ２のハードディスク６０に記録される場合にも、電子カメラ２のハードディスク６０に、その画像データの原画像ファイル名情報を含む管理データが記録されているので、ユーザーは、電子カメラ２の表示モニタ３１に、管理データを表示して、管理データの原画像ファイル名情報の内容を確認することにより、どの画像データが編集処理によって生成された画像データであり、どの画像データがオリジナルの画像データであるかを容易に把握することが可能になる。
【０１１５】
さらに、本実施形態によれば、電子カメラ２およびＰＣ４の双方において、独立して画像データに編集処理が施されて、電子カメラ２のハードディスク６０およびＰＣ４のハードディスク７４に、編集処理の施された数多くの画像データが記録される場合にも、電子カメラ２のハードディスク６０およびＰＣ４のハードディスク７４の双方に、編集処理によって生成された画像データと編集処理のもとになった画像データとの関連付けを示す原画像ファイル名情報を含む管理データが記録されているので、ユーザーは、電子カメラ２の表示モニタ３１あるいはＰＣ４の表示手段７７に、管理データを表示して、管理データの原画像ファイル名情報の内容を確認することにより、編集処理の施された画像データが、どの画像データをもとに編集された画像データであるかを容易に把握することが可能になる。
【０１１６】
図１６は、本発明の他の好ましい実施形態にかかる画像記録システムにおいて実行される画像データの記録処理のメインルーチンを示すフローチャートである。
図１６に示されるように、本実施形態にかかる画像記録システムにおいては、電子カメラ２が、更新された管理データに基づいて、電子カメラ２側の画像データを更新するように構成されている点を除き、図４に示された画像データの記録処理のメインルーチンと同様のメインルーチにしたがって、画像データの記録処理が実行される。
【０１１７】
以下、電子カメラ２側で、図１２に示される管理データ２７と同様の管理データが生成され、一方、ＰＣ４側で、図１３に示される管理データ８２と同様の管理データが生成されている場合を例に、説明を加える。
【０１１８】
まず、電子カメラ２の動作モードが転送モードに切り換えられ、ＵＳＢケーブル３を介して、電子カメラ２とＰＣ４が接続されると、ＰＣ４は、電子カメラ２に対して、電子カメラ２のハードディスク６０に記録された管理データ２７の送信を要求するリクエスト信号を出力する（図１６のステップＳ１０１ないしＳ１０３）。
【０１１９】
ＰＣ４からリクエスト信号を受けると、電子カメラ２は、リクエスト信号に応答して、電子カメラ２のハードディスク６０に記録されている管理データ２７を、ＵＳＢケーブル３を介してＰＣ４に送信する（図１６のステップＳ１０４）。
【０１２０】
電子カメラ２から管理データ２７を受けると、ＰＣ４は、管理データ２７に基づいて、図６に示されたＰＣ４側の管理データの更新処理と同様の手順にしたがって、ＰＣ４側の管理データ８２を更新する（図１６のステップＳ１０５およびＳ１０６）。こうして、ＰＣ４側で、図１４に示される管理データ８３と同一の内容の管理データが生成される。
【０１２１】
次いで、ＰＣ４は、ＵＳＢケーブル３を介して、管理データ８３を電子カメラ２に送信し、電子カメラ２が、電子カメラ２のハードディスク６０に記録された電子カメラ２側の管理データ２７を、ＰＣ４から送信された管理データ８３と同じ内容に書き換える（図１６のステップＳ１０７ないしＳ１０９）。
【０１２２】
次いで、ＰＣ４は、更新処理によって生成された管理データ８３に基づき、図８に示されたＰＣ４側の画像データの更新処理と同様の手順にしたがって、ＰＣ４のハードディスク７４に記録された画像データを更新する（図１６のステップＳ１１０）。こうして、ＰＣ４のハードディスク４に、電子カメラ２側で編集処理が施された画像データＥが追加される。
【０１２３】
ＰＣ４側の画像データの更新処理が完了すると、電子カメラ２は、電子カメラ２側の画像データの更新処理を実行する（図１６のステップＳ１１１）。
図１７は、電子カメラ２によって実行される電子カメラ２側の画像データの更新処理のサブルーチンを示すフローチャートである。
【０１２４】
電子カメラ２側の画像データを更新するにあたっては、まず、電子カメラ２は、ＰＣ４から送信された管理データ８３を電子カメラ２側の管理データ２７と比較して、更新処理後の管理データ８３に含まれる画像データＡないしＥＥにつき、更新処理後のＰＣ４側の管理データ８３のみに存在するか否か、管理データのグループ名情報が「−１」であり、かつ、移動情報が「削除」を示すデータに書き換えられているか否かを、順次、判定し、電子カメラ２側のハードディスク６０に追加すべきか否か、およびハードディスク６０から削除すべきか否かを判別する（図１７のステップＳ２０１ないしＳ２０６）。
【０１２５】
図１４に示されるように、更新処理後のＰＣ４側の画像データＢの管理データ８３ｂは、グループ名情報が「−１」であり、かつ、移動情報が「削除」を示すデータに書き換えられているので、電子カメラ２は、画像データＢをハードディスク６０から削除すべき画像データであると認識する（図１７のステップＳ２０４）。
【０１２６】
また、図１２および図１４から分かるように、画像データＥＥの管理データは、更新処理後のＰＣ４側の管理データ８３のみに存在し、電子カメラ２側の管理データ２７には存在しないため、電子カメラ２は、画像データＥＥをハードディスク６０に追加すべき画像データであると認識する（図１７のステップＳ２０２）。
【０１２７】
これに対して、図１２および図１４から分かるように、他の画像データＡおよびＣないしＥの管理データはいずれも、更新処理後のＰＣ４側の管理データ８３および電子カメラ２側の管理データ２７の双方に存在し、また、グループ名情報が「−１」に書き換えられていないから、電子カメラ２は、画像データＡおよびＣないしＥを、電子カメラ２のハードディスク６０に追加すべき画像データではなく、電子カメラ２のハードディスク６０から削除すべき画像データでもないと認識する（図１７のステップＳ２０５）。
【０１２８】
こうして、画像データＡないしＥＥのすべてにつき、判別処理が終了すると、電子カメラ２は、電子カメラ２側のハードディスク６０に追加すべきであると認識した画像データＥＥを、ＰＣ４側のハードディスク７４から読み出すべく、ＰＣ４に画像データＥＥの送信を要求するリクエスト信号を送信する（図１７のステップＳ２０７およびＳ２０８）。
【０１２９】
次いで、ＰＣ４は、リクエスト信号に応答して、電子カメラ２に画像データＥＥを送信し、電子カメラ２は、画像データＥＥを受信して、画像データＥＥをハードディスク６０に記録する（図１７のステップＳ２０９およびＳ２１０）。
【０１３０】
画像データＥＥをハードディスク６０に追加すると、電子カメラ２は、ハードディスク６０から削除すべきであると認識した画像データＢを、ハードディスク６０から削除する（図１７のステップＳ２１１）。
【０１３１】
電子カメラ２側の更新処理が終了すると、ＰＣ４は、更新処理後の管理データ８３の編集情報および移動情報を初期データにリセットする（図１６のステップＳ１１２）。こうして、図１５に示された管理データ８４と同一の内容の管理データが生成され、ＰＣ４は、ハードディスク７４に記録されている管理データ８２を、管理データ８４に書き換える。
【０１３２】
ＰＣ４側の管理データのリセット処理と並行して、電子カメラ２は、ＰＣ４から送信された更新処理後の管理データ８３の編集情報および移動情報を初期データにリセットする（図１６のステップＳ１１３）。こうして、電子カメラ２のハードディスク６０に、ＰＣ４のハードディスク７４に記録されている管理データ８４と同一の内容の管理データが記録される。
【０１３３】
本実施形態によれば、図１ないし図１５に示された実施形態と同様の効果を得ることができる。
次に、本発明の実施形態にかかる画像記録システムで用いられる他の管理データについて説明を加える。
【０１３４】
本実施形態にかかる画像記録システムで用いられる管理データは、画像ファイル名情報、作成日時情報、編集情報、原画像ファイル名情報、グループ名情報、移動情報およびバージョン情報によって構成され、バージョン情報を有している点を除き、図５および図７などに示された管理データと、同様の構成を有している。
【０１３５】
バージョン情報は、画像ファイル名情報に示される画像データの優先度を示すデータであり、本実施形態においては、バージョン情報は、編集回数に応じて、書き換えられるように構成され、画像データが新規に生成された場合に、「１」に設定され、その画像データに編集処理が施されるたびに、そのデータ値がインクリメントされ、「２」、「３」・・・の順に、書き換えられる。
【０１３６】
電子カメラ２の表示モニタ３１に、電子カメラ２のハードディスク６０に記録された画像データに対応する画像がサムネイル表示される場合には、表示モニタ３１のサイズなどによって表示能力が制限されるため、必ずしもハードディスク６０に記録されているすべての画像データをサムネイル表示できるとは限らない。本実施形態においては、このような場合に、電子カメラ２は、画像データの管理データのバージョン情報を参照し、バージョン情報のデータ値が大きく、優先度の高い画像データに対応する画像を優先的に、表示モニタ３１にサムネイル表示するように構成されている。
【０１３７】
一方、ＰＣ４の表示手段７７に、ＰＣ４のハードディスク７４に記録された画像データに対応する画像をサムネイル表示する場合にも、電子カメラ２の表示モニタ３１に画像をサムネイル表示する場合と同様に、画像データの管理データのバージョン情報が参照され、バージョン情報のデータ値が大きく、優先度の高い画像データに対応する画像を優先的に、表示手段７７にサムネイル表示されるように構成されている。
【０１３８】
また、バージョン情報は、画像データが新規に生成された場合および画像データに編集処理が加えられた場合に、電子カメラ２の管理データ生成部２１ｂによって、あるいは、ＰＣ４の画像データ編集用プログラムが実行されてＰＣ４によって、自動的にそのデータ値が書き換えられるが、ユーザーが、表示モニタ３１または表示手段７７に表示される管理データの一覧表示を確認して、表示モニタ３１または表示手段７７に表示させたい画像から順次、優先的にサムネイル表示されるように、そのデータ値を書き換えることもできるように構成されている。
【０１３９】
図１８は、電子カメラ２の管理データ生成部２１ｂによって、電子カメラ２側で生成される管理データを示す模式図であり、図１９は、ＰＣ４の画像データ編集用プログラムが実行されてＰＣ４側で生成される管理データを示す模式図であり、さらに、図２０は、更新処理が実行された後に、電子カメラ２およびＰＣ４に記録される管理データを示す模式図である。
【０１４０】
図１８においては、電子カメラ２側で撮影によって４つの画像データＡないしＤが新たに生成され、ＰＣ４側で更新処理がされた後に、電子カメラ２が、画像データＢに対して、１回だけ編集処理を施して画像データＥを生成した場合が例示されている。また、図１９においては、ＰＣ４が、画像データＢに対して、１回だけ編集処理を施して、画像データＥＥを生成した場合が例示されている。
【０１４１】
図１８に示されるように、電子カメラ２側においては、５つの画像データＡないしＥに対応して、管理データ１１０ａないし１１０ｅが生成され、これら管理データ１１０ａないし１１０ｅのうち、管理データ１１０ｅの編集情報は、「編集作成」を示すデータに設定されている。また、画像データＥは、画像データＢを編集して、生成された画像データであるため、管理データ１１０ｅの原画像ファイル名情報は、画像データＢのファイル名に書き換えられている。
【０１４２】
さらに、画像データＡないしＤが、撮影によって新規に生成された画像データであるのに対して、画像データＥが、編集処理によって生成された画像データであるため、管理データ１１０ａないし１１０ｄのバージョン情報は、いずれも、「１」に設定され、管理データ１１０ｅのバージョン情報は、「２」に設定されている。
【０１４３】
一方、ＰＣ４側で生成される管理データ１２０においては、図１９に示されるように、画像データＢを編集して、画像データＥＥが生成されているので、画像データＥＥの管理データ１２０ｅｅは、編集情報が「編集作成」を示すデータに書き換えられ、バージョン情報が、「２」に設定されている。
【０１４４】
こうした状態において、ＰＣ４によって、ＰＣ４側の管理データ１２０の更新処理が実行されると、電子カメラ２側の管理データ１１０に含まれる画像データＥの管理データ１１０ｅに対応する管理データは、ＰＣ４側の管理データ１２０には存在しないため、図２０に示されるように、画像データＥＥの管理データ１３０ｅｅとして、ＰＣ４側の管理データ１３０に追加される。
【０１４５】
このとき、画像データＥおよび画像データＥＥはともに、画像データＢを編集して生成された画像データであるため、画像データＥの管理データ１１０ｅの原画像ファイル名情報および画像データＥＥの管理データ１１０ｅｅの原画像ファイル名情報が一致している。
【０１４６】
また、画像データＥおよび画像データＥＥはともに、１回の編集処理が施されて生成された画像データであるため、画像データＥの管理データ１１０ｅのバージョン情報および画像データＥＥの管理データ１２０ｅｅのバージョン情報はいずれも、「２」に設定されている。
【０１４７】
このように、電子カメラ２のハードディスク６０およびＰＣ４のハードディスク７４に、原画像ファイル名情報が一致し、バージョン情報も一致する画像データが存在する場合には、ＰＣ４は、画像データの管理データの作成日時情報を参照して、作成日時の新しい画像データの管理データのバージョン情報のデータ値をインクリメントする。
【０１４８】
図１８および図１９に示された管理データ１１０および１２０においては、画像データＥの管理データ１１０ｅの作成日時情報が、２０ＸＸ年１月２日の１１時２５分を示すのに対し、画像データＥＥの管理データ１２０ｅｅの作成日時情報が、２０ＸＸ年１月２日の２１時１０分を示しているので、図２０に示されるように、作成日時の新しい画像データＥＥの管理データ１３０ｅｅのバージョン情報のデータ値が「３」に設定され、作成日時の古い画像データＥの管理データ１３０ｅのバージョン情報のデータ値が「２」のまま、保持される。
【０１４９】
こうして生成された管理データ１３０は、ＰＣ４から電子カメラ２に送信されて、電子カメラ２側の管理データ１１０が、ＰＣ４から送信された管理データ１３０と同一の管理データに更新される。この後に、管理データ１３０に基づいて、ＰＣ４側の画像データが更新されて、ＰＣ４側のハードディスク７４に画像データＥが追加されるとともに、電子カメラ２側の画像データが更新されて、電子カメラ２側のハードディスク６０に画像データＥＥが追加される。
【０１５０】
本実施形態によれば、管理データに、編集回数に応じて、そのデータ値が書き換えられるバージョン情報が含まれ、画像がサムネイル表示される際には、バージョン情報が参照されて、優先度の高い画像から優先的にサムネイル表示されるので、電子カメラ２の表示モニタ３１やＰＣ４の表示手段７７のサイズなどによって、表示能力が制限される場合にも、電子カメラ２の表示モニタ３１またはＰＣ４の表示手段７７に、編集回数の多い画像を優先的に表示することが可能になる。
【０１５１】
また、本実施形態によれば、原画像ファイル名情報が一致し、バージョン情報も一致する画像データが存在する場合には、電子カメラ２のハードディスク６０およびＰＣ４のハードディスク７４に、ＰＣ４が、画像データの管理データの作成日時情報を参照して、作成日時の新しい画像データの管理データのバージョン情報のデータ値をインクリメントするように構成されているので、編集処理の加えられた画像データのうち、新しい画像データに対応する画像を優先的にサムネイル表示することが可能になる。
【０１５２】
さらに、本実施形態によれば、バージョン情報は、ユーザーが、電子カメラ２の表示モニタ３１またはＰＣ４の表示手段７７に表示される管理データの一覧表示を確認して、そのデータ値を書き換えることができるように構成されているので、電子カメラ２の表示モニタ３１またはＰＣ４の表示手段７７に、優先的に表示させたい画像を、ユーザーが自由に変更することができる。
【０１５３】
本発明は、以上の実施形態に限定されることなく、特許請求の範囲に記載された発明の範囲内で種々の変更が可能であり、それらも本発明の範囲内に包含されるものであることはいうまでもない。
【０１５４】
たとえば、前記実施形態にかかる画像記録システムにおいては、電子カメラ２が、デジタル処理部２１ａよりなる編集手段と、管理データ生成部２１ｂよりなる管理データ生成手段を備えているが、必ずしも、電子カメラ２が編集手段および管理データ生成手段を備えている必要はない。
【０１５５】
また、前記実施形態にかかる画像記録システムにおいては、電子カメラ２およびＰＣ４は、ＵＳＢケーブル２を介して接続され、ＵＳＢフォーマットにしたがって、管理データおよび画像データを送受信するように構成されているが、電子カメラ２およびＰＣ４が、ＵＳＢケーブル以外の通信用ケーブルを介して接続され、ＵＳＢ以外のフォーマットにしたがって、管理データおよび画像データを送受信するように構成されてもよく、あるいは、電波、赤外線および光などの通信媒体を利用した無線通信によって接続され、無線通信によって、管理データおよび画像データを送受信するように構成されていてもよい。
【０１５６】
さらに、前記実施形態にかかる画像記録システムにおいては、電子カメラ２およびＰＣ４の一方から他方に対して、編集された画像データを送信するように構成されているが、編集された画像データを送信するのに代えて、どのような編集処理を施したかなどの編集内容データを送信し、編集内容データを受信した機器側で、編集内容データに基づいて、編集された画像データを再生するように構成されていてもよい。このように構成した場合には、編集内容データを受信した機器側で、再生した画像データをハードディスクに記録するのではなく、編集内容データをハードディスクに記録しておき、その画像データが必要な場合に、ハードディスクから編集内容データを読み出して、編集された画像データを再生するように構成されることが好ましい。また、電子カメラ２およびＰＣ４の一方から他方に対し、編集内容データを送信するように画像記録システムを構成する場合には、編集内容データを、編集処理のもとになったオリジナルの画像データ内に書き込んだり、編集内容データおよび編集処理のもとになったオリジナルの画像データを、セットにして１つのファイルとして取り扱い、編集内容データおよび編集処理のもとになったオリジナルの画像データが、セットになって送受信されるように構成されることが好ましい。
【０１５７】
また、図１８ないし図２０に示される実施形態にかかる画像記録システムにおいては、管理データのバージョン情報のデータ値が、画像データの編集回数に応じて書き換えられるように構成されているが、画像データが編集された機器に応じて、管理データのバージョン情報のデータ値が書き換えられるように構成されていてもよい。このように構成される場合には、ＰＣ４側で編集された画像データに対応する管理データのバージョン情報のデータ値が、電子カメラ２側で編集された画像データに対応する管理データのバージョン情報のデータ値よりも大きくなるように構成されてもよいし、逆に、電子カメラ２側で編集された画像データに対応する管理データのバージョン情報のデータ値が、ＰＣ４側で編集された画像データに対応する管理データのバージョン情報のデータ値よりも大きくなるように構成されてもよい。
【０１５８】
さらに、前記実施形態にかかる画像記録システムにおいては、電子カメラ２とＰＣ４が接続された際に、電子カメラ２からＰＣ４に対して、管理データが送信され、ＰＣ４によって、管理データが更新されるように構成されているが、必ずしも、電子カメラ２とＰＣ４が接続された際に、電子カメラ２からＰＣ４に対し、管理データが送信され、ＰＣ４によって、管理データが更新されるように構成する必要はなく、電子カメラ２とＰＣ４が接続された際に、ＰＣ４から電子カメラ２に対し、管理データが送信され、電子カメラ２によって、管理データが更新されるように構成されてもよい。
【０１５９】
また、前記実施形態においては、電子カメラ２とＰＣ４とが接続された画像記録システムにつき説明を加えているが、本発明は、電子カメラ２とＰＣ４とが接続された画像記録システムに限定されるものではなく、たとえば、カメラ機能付きの携帯電話器とＰＣとが接続された画像記録システムや、少なくとも一方が、画像データの編集機能を有する２台の電子カメラが接続された画像記録システムのように、広く、画像データを記録することができる画像記録装置と、画像データの記録機能に加え、画像データの編集機能を備えた画像記録装置とが接続された画像記録システムに適用することができる。
【図面の簡単な説明】
【０１６０】
【図１】本発明の好ましい実施形態にかかる画像記録システムの構成を示すブロックダイアグラムである。
【図２】図１に示された電子カメラの構成を示すブロックダイアグラムである。
【図３】図１に示されたＰＣの構成を示すブロックダイアグラムである。
【図４】画像記録システムによって実行される画像データの記録処理のメインルーチンを示すフローチャートである。
【図５】電子カメラ側で生成される管理データを示す模式図である。
【図６】ＰＣによって実行されるＰＣ側の管理データの更新処理のサブルーチンを示すフローチャートである。
【図７】更新処理によって生成されるＰＣ側の管理データを示す模式図である。
【図８】ＰＣによって実行されるＰＣ側の画像データの更新処理のサブルーチンを示すフローチャートである。
【図９】ＰＣによって実行される電子カメラ側の画像データの更新処理のサブルーチンを示すフローチャートである。
【図１０】更新処理によって生成されるＰＣ側の管理データを示す模式図である。
【図１１】更新処理によって生成される電子カメラ側の管理データを示す模式図である。
【図１２】電子カメラ側で生成される管理データを示す模式図である。
【図１３】ＰＣ側で生成される管理データを示す模式図である。
【図１４】更新処理によって生成されるＰＣ側の管理データを示す模式図である。
【図１５】更新処理が実行された後のＰＣ側および電子カメラ側の管理データを示す模式図である。
【図１６】本発明の好ましい実施形態にかかる画像記録システムによって実行される他の画像データの記録処理のメインルーチンを示すフローチャートである。
【図１７】電子カメラによって実行される電子カメラ側の画像データの更新処理のサブルーチンを示すフローチャートである。
【図１８】電子カメラ側で生成される管理データを示す模式図である。
【図１９】ＰＣ側で生成される管理データを示す模式図である。
【図２０】更新処理が実行された後の管理データを示す模式図である。
【符号の説明】
【０１６１】
１  画像記録システム
２  電子カメラ
２ａ  接続端子
３  ＵＳＢケーブル
４  ＰＣ
４ａ  接続端子
１０  撮像手段
１１  ＣＣＤ撮像素子
１２  アナログ信号処理部
１３  Ａ／Ｄ変換器
１４  タイミングジェネレータ
２０  デジタル信号処理手段
２１  システムＬＳＩ
２１ａ  デジタル信号処理部
２１ｂ  管理データ生成部
２１ｃ  コントローラ
２２  ＲＯＭ
２３  ＲＡＭ
２５、２６、２７、１１０  電子カメラ側の管理データ
３０  画像再生手段
３１  表示モニタ
３２  モニタコントローラ
４０  ＵＳＢインタフェース
５０  操作手段
５０ａ  シャッタボタン
５０ｂ  モード切替ボタン
５０ｃ  編集ボタン
５０ｄ  表示切替ボタン
６０  ハードディスク
７０  コンピュータ本体
７１  ＣＰＵ
７２  ＲＯＭ
７３  ＲＡＭ
７４  ハードディスク
７５  ＵＳＢインタフェース
７６  入出力インタフェース
７７  表示手段
７８  入力手段
８０、８１、８２、８３、８４、１２０  ＰＣ側の管理データ
１３０  更新処理後の管理データ
【図１】
2007013243.tif 000003
【図２】
2007013243.tif 000004
【図３】
2007013243.tif 000005
【図４】
2007013243.tif 000006
【図５】
2007013243.tif 000007
【図６】
2007013243.tif 000008
【図７】
2007013243.tif 000009
【図８】
2007013243.tif 000010
【図９】
2007013243.tif 000011
【図１０】
2007013243.tif 000012
【図１１】
2007013243.tif 000013
【図１２】
2007013243.tif 000014
【図１３】
2007013243.tif 000015
【図１４】
2007013243.tif 000016
【図１５】
2007013243.tif 000017
【図１６】
2007013243.tif 000018
【図１７】
2007013243.tif 000019
【図１８】
2007013243.tif 000020
【図１９】
2007013243.tif 000021
【図２０】
2007013243.tif 000022